(57)【要約】【課題】グランドを安定して確保し、ノイズの発生を格段と低減することが可能なポータブル機器のグランド接地構造を提供すること。【解決手段】車載装置２と接続して使用されるポータブル機器１のグランド接地構造であって、車両のグランドと連通する、又は該グランドと同電位の金属からなるアース部５が設けられ、上記ポータブル機器１の筐体１ｃが金属製である場合、当該筐体１ｃと上記アース部５とを直接的又は間接的に接触させるようにした。【選択図】図１
2010062724.tif 000002
【特許請求の範囲】
【請求項１】
車載装置と接続して使用されるポータブル機器のグランド接地構造であって、
車両のグランドと連通する、又は該グランドと同電位の金属からなるアース部が設けられ、
前記ポータブル機器の筐体が金属製である場合、
当該筐体と前記アース部とを直接的又は間接的に接触させる
ことを特徴とするポータブル機器のグランド接地構造。
【請求項２】
前記ポータブル機器を配設するための配置部を有し、
前記配置部に前記アース部を配設する
ことを特徴とする請求項１に記載のポータブル機器のグランド接地構造。
【請求項３】
前記ポータブル機器の筐体が金属製でない場合、
当該ポータブル機器と、前記車載装置との間に介在される該ポータブル機器の外部出力線に、前記アース部と接続する中間コネクタを設ける
ことを特徴とする請求項１に記載のポータブル機器のグランド接地構造。
【請求項４】
前記ポータブル機器の筐体が金属製でない場合、
当該ポータブル機器と、前記車載装置との間に介在される電源ケーブルに、前記アース部と接続する中間コネクタを設ける
ことを特徴とする請求項１に記載のポータブル機器のグランド接地構造。
【発明の詳細な説明】
【技術分野】
【０００１】
本発明は、ポータブル機器のグランド接地構造に関し、特に、車載装置に接続されるポータブル機器におけるグランド接地構造に適用して好適なものである。
【背景技術】
【０００２】
従来から、マイクロフォン及びスピーカからなるハンズフリーセットを備えるとともに特定の携帯電話機と通信を行い、同携帯電話機を介した外部との通信をハンズフリーの状態で行えるようにする車載装置が知られている。この種の車載装置と携帯電話機からなるハンズフリーシステムにおいては、車載装置と携帯電話機との通信接続を有線ではなく、近距離無線によって行うものが提案されている。
【０００３】
また、例えば、車両に配置される各種車載装置に、携帯電話機とハンズフリー装置との間のデータ通信を中継する無線中継ユニットを配置し、これら無線中継ユニットのうち携帯電話機との通信状況が最もよい無線中継ユニットを適宜選択し、この無線中継ユニットを経由して携帯電話機とデータ通信を行うハンズフリーシステムが知られており、いずれもアースとしてのグランド確保がなされている（例えば、特許文献１乃至５参照）。
【０００４】
ところで、近年、ポータブル機器のひとつである音楽や映像等のデータを記憶するＨＤＤ内蔵タイプのポータブルオーディオ機器の普及が目覚しく、ユーザ個々が好むデータをポータブルオーディオ機器に順次蓄積することから、該ポータブルオーディオ機器をソフトウエア感覚で車載装置のひとつであるオーディオ機器と接続し、音楽や映像を鑑賞することが主流になりつつある。
【０００５】
このように、車両に持ち込まれたポータブルオーディオ機器と車載のオーディオ機器とを接続するシステムでは、車載のオーディオ機器の外部音声入力部とポータブルオーディオ機器の外部出力部とが配線、またはＢｌｕｅｔｏｏｔｈ（登録商標）等の通信によって接続される。
【０００６】
そして、車載のオーディオ機器は、ポータブルオーディオ機器などから伝送される音声データ、映像データなどに基づいた音声、映像などの情報を車載のスピーカ等から出力するようになっている。
【０００７】
このとき、ポータブルオーディオ機器は、充電・給電のために、車載のオーディオ機器の電源端子や車両のシガーソケット等の電源ソケットから電源が供給されるようになっている。
【０００８】
因みに、ポータブル機器としては、上述したポータブルオーディオ機器に限らず、例えば、携帯電話機やＰＤＡ（Personal  Digital  Assistants）等のモバイル端末を含む電子機器や、着脱自在なポータブルナビゲーション装置なども近年の普及に伴い、各種車載装置と接続され、連動して使用されるケースが増えている。
【特許文献１】特開２００４−３５６８９５号公報
【特許文献２】特開平１０−１４５４７４号公報
【特許文献３】特開２０００−１８４０１５号公報
【特許文献４】特開平１１−３５５４２６号公報
【特許文献５】特開平１１−８８０３９号公報
【発明の開示】
【発明が解決しようとする課題】
【０００９】
しかしながら、かかるポータブルオーディオ機器を車載のオーディオ機器と接続して使用する際、当該ポータブルオーディオ機器が小型であるがために、グランドの安定を確保し難い場合がある。従って、ポータブルオーディオ機器に対して車両に生じる電源波形や電気ノイズが混入し、再生される音声にノイズ（雑音）が生じる（重畳する）問題がある。とりわけ、このノイズの発生は、ポータブルオーディオ機器を車載のオーディオ機器の電源端子や車両のシガーソケットに接続して充電・給電する際に起こり易い傾向にある。
【００１０】
そこで、本発明は、このような問題点に鑑みてなされたものであり、車載装置と接続して使用する際に、グランドを安定して確保し、ノイズの発生を格段と低減することが可能なポータブル機器のグランド接地構造を提供することを主たる目的とする。
【課題を解決するための手段】
【００１１】
上記目的を達成するための本発明の一態様は、車載装置と接続して使用されるポータブル機器のグランド接地構造であって、車両のグランドと連通する、又は該グランドと同電位の金属からなるアース部が設けられ、上記ポータブル機器の筐体が金属製である場合、当該筐体と上記アース部とを直接的又は間接的に接触させるようにした。
【００１２】
従って、本発明の一態様によれば、ポータブル機器のグランドを安定して確保することができるため、とりわけノイズの生じ易い電源供給時においても、ポータブル機器におけるノイズの発生を格段と低減することが可能となる。
【００１３】
しかも、本発明の一態様において、上記ポータブル機器を配設するための配置部を有し、上記配置部に上記アース部を配設することにより、当該配置部にポータブル機器を設置するだけで、該ポータブル機器のグランドを安定して確保することができる。
【００１４】
また、本発明の一態様において、上記ポータブル機器の筐体が金属製でない場合、当該ポータブル機器と、上記車載装置との間に介在される該ポータブル機器の外部出力線に、上記アース部と接続する中間コネクタを設けることが好ましい。これにより、外部出力線及び中間コネクタを介してポータブル機器と車両のグランドとを間接的に接地することができるため、該ポータブル機器のグランドを安定して確保することができる。
【００１５】
さらに、本発明の一態様において、上記ポータブル機器の筐体が金属製でない場合、当該ポータブル機器と、上記車載装置との間に介在される電源ケーブルに、上記アース部と接続する中間コネクタを設けることが好ましい。これにより、電源ケーブル及び中間コネクタを介してポータブル機器と車両のグランドとを間接的に接地することができるため、該ポータブル機器のグランドを安定して確保することができる。
【発明の効果】
【００１６】
本発明によれば、ポータブル機器と車両のグランドとが直接的又は間接的に接触するため、ポータブル機器のグランドを安定して確保することができ、とりわけノイズの生じ易い電源供給時においても、ポータブル機器におけるノイズの発生を格段と低減することが可能なポータブル機器のグランド接地構造を提供することができる。
【発明を実施するための最良の形態】
【００１７】
以下、本発明を実施するための最良の形態について、添付図面を参照しながら実施例を挙げて説明する。
【実施例】
【００１８】
〔第1実施例〕
図１は、本発明によるポータブル機器のグランド接地構造の第１実施例を概略的に示す構成図である。
【００１９】
図１は、全体として本発明にかかるポータブル機器のグランド接地構造を示し、ポータブル機器としてのポータブルオーディオ機器１が車載装置である車載オーディオ機器２に外部出力線（外部出力ケーブル）３、および、電源ケーブルとしてのＵＳＢ（Universal  Serial  Bus）ケーブル４を介して接続されている。
【００２０】
ポータブルオーディオ機器１には、ユーザによって操作される操作部１ａと、該操作部１ａの操作に応じた表示がなされる表示部１ｂとが、例えば、導電性の金属からなる筐体１ｃに設けられている。そして、ポータブルオーディオ機器１は、上述した従来技術と同じく周知の通り、ユーザの嗜好に応じた音楽の楽曲データや、映画・テレビ番組等を録画した映像・音声データ等が内蔵のＨＤＤに記録されており、車載オーディオ機器２と接続されることによって、上記ＨＤＤに記録した各種データを車載オーディオ機器２へ転送し、車載オーディオ機器２は、転送された各種データに基づく、音楽、映像、音声などを出力し得るようになっている。
【００２１】
ここで、かかる筐体１ｃに設けられる出力端子には、外部出力ケーブル３の一方のコネクタ３ａが接続されると共に、該外部出力ケーブル３の他方のコネクタ３ｂが車載オーディオ機器２における外部機器を接続するための入力端子であるＡＵＸ（Auxiliary）ターミナル２ａに接続されている。これにより、ポータブルオーディオ機器１と車載オーディオ機器２とが外部出力ケーブル３を介して電気的・物理的に接続され、ポータブルオーディオ機器１に記録された各種データを車載オーディオ機器２に転送し得るようになっている。
【００２２】
また、かかるポータブルオーディオ機器１の筐体１ｃに設けられる電源端子には、ＵＳＢケーブル４の一方のコネクタ４ａが接続されると共に、該ＵＳＢケーブル４の他方のコネクタ４ｂが車載オーディオ機器２における電源としてのＡＣ／ＤＣソケット２ｂに接続されている。これにより、ポータブルオーディオ機器１は、車載オーディオ機器２からＵＳＢケーブル４を介して電源を供給され、充電・給電し得るようになっている。
【００２３】
このとき、本実施例のグランド接地構造の場合、車両のグランドと同電位の金属からなるアース部５が、例えば、ポータブルオーディオ機器１を車両内に配設するためのポータブルオーディオ機器置場である配置部に設けられている。なお、本実施例においては、かかるアース部５が配置部として設けられている場合について、図示し説明するが、本発明はこれに限ることはない。より詳細には、後述の他の実施例にて説明する。
【００２４】
これにより、本実施例の場合、ポータブルオーディオ機器１の筐体１ｃが金属製であることから、ポータブルオーディオ機器１を配置部に設置することによって、該配置部のアース部５とポータブルオーディオ機器１の筐体１ｃとが接触するため、ポータブルオーディオ機器１を車両のグランドに接地することができ、当該ポータブルオーディオ機器１のグランドを安定して確保することができるようになっている。
【００２５】
従って、ポータブルオーディオ機器１を車載オーディオ機器２と接続して使用する際、とりわけ、ポータブルオーディオ機器１の充電・給電中においても、ポータブルオーディオ機器１が車両のグランドであるアース部５に接地することから、当該ポータブルオーディオ機器１のグランドを安定して確保することができる。
【００２６】
〔第１実施例の作用・効果〕
以上、説明したように、第１実施例のポータブル機器のグランド接地構造によれば、ポータブルオーディオ機器１を車載オーディオ機器２に接続して使用する際にかかるポータブルオーディオ機器１の筐体１が金属製である場合、ポータブルオーディオ機器１を配置部に設置することにより、このポータブルオーディオ機器１と車両のグランドであるアース部５とが直接的に接地可能となり、ポータブルオーディオ機器１のグランドを安定して確保することができるため、とりわけノイズの生じ易い電源供給時においても、ポータブル機器におけるノイズの発生を格段と低減することが可能となる。
【００２７】
〔第２実施例〕
次に、本発明にかかるポータブル機器のグランド接地構造の第２実施例について、図２を参照しながら説明する。図２（ａ）は、本発明によるポータブル機器のグランド接地構造の第２実施例を概略的に示す構成図であり、図２（ｂ）は、図２（ａ）における破線部Ｘを拡大して示す拡大図である。
【００２８】
図１との対応部分に同一符号を付した図２（ａ）は、本発明によるポータブル機器のグランド接地構造の第２実施例を示し、ポータブルオーディオ機器１の筐体１ｃが金属製でない場合であって、ポータブルオーディオ機器１とアース部５とが外部出力ケーブル３のコネクタ３ａに設けられる中間コネクタ７を介して接地される点が異なることを除いて、上述した第１実施例とほぼ同様に構成されている。このため、以下、当該異なることについて説明し、図１と同様の構成等についての詳細な説明は便宜上割愛する。
【００２９】
図２（ａ）に示すように、第２実施例におけるポータブル機器のグランド接地構造は、ポータブルオーディオ機器１とアース部５とが、外部出力ケーブル３の一方のコネクタ３ａに係合され、当該コネクタ３ａとポータブルオーディオ機器１の出力端子との間に介在される中間コネクタ７にＡＶケーブル６などを介して接続されている。
【００３０】
ここで、具体的に中間コネクタ７は、図２（ｂ）に示すように、一端側にポータブルオーディオ機器１の出力端子に嵌合されるピン７ａが突出され、他端側に外部出力ケーブル３のコネクタ３ａと嵌合される端子（図示省略する）を有しており、これらピン７ａと端子とが同軸上に形成されている。
【００３１】
また、ピン７ａは、所謂、ステレオ出力におけるＬ側（左側）音声端子部７１ａと、Ｒ側（右側）音声端子部７２ａおよびグランド端子部７３ａを有してなる。そして、当該グランド端子部７３ａに、一端側がアース部５に接続されたＡＶケーブル６の他端が接続され、このピン７ａを有する中間コネクタ７がポータブルオーディオ機器１に接続されることにより、ポータブルオーディオ機器１とアース部５とをＡＶケーブル６および中間コネクタ７を介して間接的に接地することができるようになっている。
【００３２】
〔第２実施例の作用・効果〕
以上、説明したように、第２実施例のポータブル機器のグランド接地構造によれば、ポータブルオーディオ機器１の筐体１ｃが金属製でない場合であって、ポータブル機器１と、車載オーディオ機器２とを接続する際に介在される該ポータブルオーディオ機器１の外部出力ケーブル３のコネクタ３ａとポータブルオーディオ機器１の出力端子の間に、アース部５に対し、ＡＶケーブル６を介して接続する中間コネクタ７を設けることにより、外部出力ケーブル３、ＡＶケーブル６および中間コネクタ７を介してポータブルオーディオ機器１と車両のグランドとが間接的に接地可能となり、当該ポータブルオーディオ機器１のグランドを安定して確保することができる。
【００３３】
〔第３実施例〕
次に、本発明にかかるポータブル機器のグランド接地構造の第３実施例について、図３を参照しながら説明する。図３は、本発明によるポータブル機器のグランド接地構造の第３実施例を概略的に示す構成図である。
【００３４】
図１または図２（ａ）との対応部分に同一符号を付した図３は、本発明によるポータブル機器のグランド接地構造の第３実施例を示し、ポータブルオーディオ機器１の筐体１ｃが金属製でない場合であって、ポータブルオーディオ機器１とアース部５とがＵＳＢケーブル４に設けられる中間コネクタ８を介して接地される点が異なることを除いて、上述した第１または第２実施例とほぼ同様に構成されている。このため、以下、当該異なることについて説明し、図１または図２（ａ）と同様の構成等についての詳細な説明は便宜上割愛する。
【００３５】
図３に示すように、第３実施例におけるポータブル機器のグランド接地構造は、ポータブルオーディオ機器１とアース部５とが、ＵＳＢケーブル４におけるポータブルオーディオ機器１の電源端子と接続する一方のコネクタ４ａと、車載オーディオ機器２のＡＣ／ＤＣソケット２ｂと接続する他方のコネクタ４ｂのほぼ中間に設けられる中間コネクタ８にＡＶケーブル６などを介して接続されている。
【００３６】
ここで、具体的に中間コネクタ８は、ＵＳＢケーブル４と同軸上に設けられ、該ＵＳＢケーブル４におけるグランド部に、一端側がアース部５に接続されたＡＶケーブル６の他端が接続され、この中間コネクタ８を有するＵＳＢケーブル４がポータブルオーディオ機器１に接続されることにより、ポータブルオーディオ機器１とアース部５とをＡＶケーブル６および中間コネクタ８を介して間接的に接地することができるようになっている。
【００３７】
〔第３実施例の作用・効果〕
以上、説明したように、第３実施例のポータブル機器のグランド接地構造によれば、ポータブルオーディオ機器１の筐体１ｃが金属製でない場合であって、ポータブル機器１が充電・給電の際に車載オーディオ機器２と接続されるＵＳＢケーブル４に、アース部５に対しＡＶケーブル６を介して接続する中間コネクタ８を設けることにより、ＵＳＢケーブル４、ＡＶケーブル６および中間コネクタ８を介してポータブルオーディオ機器１と車両のグランドとが間接的に接地可能となり、当該ポータブルオーディオ機器１のグランドを安定して確保することができる。
【００３８】
〔他の実施例〕
以上、本発明を実施するための最良の形態について実施例を用いて説明したが、本発明はこうした実施例に何等限定されるものではなく、本発明の要旨を逸脱しない範囲内において種々の変形及び置換を加えることができる。
【００３９】
例えば、上述した第１実施例においては、ポータブルオーディオ機器１を配置部に接地することにより、該ポータブルオーディオ機器１の金属製の筐体１ｃとアース部５とが接触してグランドを確保する場合について述べたが、本発明はこれに限らず、例えば、図１との対応部分に同一符号を付した図４に示すように、一端をアース部５に接続したＡＶケーブル６の他端に導電性の接続手段として、例えば、金属クリップ９を設け、この金属クリップ９によってポータブルオーディオ機器１の筐体１ｃを挟み込み、接続することで、当該ポータブルオーディオ機器１をアース部５に接地させ、グランドを確保するようにしてもよい。なお、このとき、配置部は設けても、設けなくても良い。
【００４０】
また、上述した第２実施例においては、中間コネクタ７は、ピン７ａと端子とが同軸上に形成されるようにした場合について述べたが、本発明はこれに限らず、要は、外部出力ケーブル３とアース部５とをＡＶケーブル６などを介して接続することが可能なものであれば、中間コネクタとしては、この他、種々のものを広く適用することができる。
【００４１】
さらに、上述した第１乃至第３実施例においては、ポータブル機器としてポータブルオーディオ機器を適用するようにした場合について述べたが、本発明はこれに限らず、ポータブル機器としては、各種情報を蓄積し、持ち運び可能な機器である例えば、携帯電話機やＰＤＡ（Personal  Digital  Assistants）等のモバイル端末を含む電子機器や、着脱自在なポータブルナビゲーション装置など、要は対応する各種車載装置と接続され、連動して使用されるポータブル機器であれば、この他種々のポータブル機器を広く適用することができる。
【産業上の利用可能性】
【００４２】
本発明にかかるポータブル機器のグランド接地構造によれば、ポータブル機器と車両のグランドとが直接的又は間接的に接地するため、ポータブル機器のグランドを安定して確保することができ、とりわけノイズの生じ易い電源供給時においても、ポータブル機器におけるノイズの発生を格段と低減することができる。従って、本発明は乗用車、トラック、バスをはじめ、スクータ等の原動機付き自転車、自動二輪車等の様々な車両における車載装置と接続して使用されるポータブル機器において、そのグランド接地のための構造に適して好適であり、特に自動車製造業や自動車部品製造業等に利用可能である。
【図面の簡単な説明】
【００４３】
【図１】本発明によるポータブル機器のグランド接地構造の第１実施例を概略的に示す構成図である。
【図２】（ａ）は、本発明によるポータブル機器のグランド接地構造の第２実施例を概略的に示す構成図であり、（ｂ）は（ａ）における破線部Ｘを拡大して示す拡大図である。
【図３】本発明によるポータブル機器のグランド接地構造の第３実施例を概略的に示す構成図である。
【図４】本発明によるポータブル機器のグランド接地構造の他の実施例を概略的に示す構成図である。
【符号の説明】
【００４４】
１…ポータブルオーディオ機器（ポータブル機器）
１ａ…操作部
１ｂ…表示部
１ｃ…筐体
２…車載オーディオ機器（車載装置）
２ａ…ＡＵＸターミナル
２ｂ…ＡＣ／ＤＣソケット
３…外部出力ケーブル（外部出力線）
３ａ…コネクタ
３ｂ…コネクタ
４…ＵＳＢケーブル（電源ケーブル）
４ａ…コネクタ
４ｂ…コネクタ
５…アース部
６…ＡＶケーブル
７…中間コネクタ
７１ａ…Ｌ側（左側）音声端子部
７２ａ…Ｒ側（右側）音声端子部
７３ａ…グランド端子部
８…中間コネクタ
９…金属クリップ
【図１】
2010062724.tif 000003
【図２】
2010062724.tif 000004
【図３】
2010062724.tif 000005
【図４】
2010062724.tif 000006